(57)【要約】【課題】脈波伝播速度の測定精度を向上させること。【解決手段】脈波伝播速度測定システム１は、撮像を行い、時系列的に連続した画像データを生成する撮像装置１１と、画像データから人体の部位を検出し、人体の部位に応じて血流方向を決定し、人体の部位の中から血流方向が同一の２つの測定部位を決定し、２つの測定部位の画素値変化に基づいて各測定部位の脈波を検出し、２つの測定部位における脈波の時間差に基づいて脈波伝播速度を算出する制御装置１２と、を具備する。【選択図】図１
2018153555.tif 000002
【特許請求の範囲】
【請求項１】
撮像を行い、時系列的に連続した画像データを生成する撮像装置と、
前記画像データから人体の部位を検出し、前記人体の部位に応じて血流方向を決定し、前記人体の部位の中から前記血流方向が同一の２つの測定部位を決定し、前記２つの測定部位の画素値変化に基づいて各測定部位の脈波を検出し、前記２つの測定部位における脈波の時間差に基づいて脈波伝播速度を算出する脈波伝播速度算出装置と、
を具備する脈波伝播速度測定システム。
【請求項２】
記憶部に記憶されている前記画像データより前記人体の部位における特徴点を抽出し、前記特徴点に基づいて血流方向を決定する、
請求項１に記載の脈波伝播速度測定システム。
【請求項３】
前記人体の部位は顔であり、
前記顔の特徴点として目、鼻、口を抽出し、
左目と右目とを結ぶ直線に直交する直線において上方を血流方向と決定する、あるいは、口と鼻とを結ぶ直線において上方を血流方向と決定する、
請求項２に記載の脈波伝播速度測定システム。
【請求項４】
前記人体の部位は手であり、
前記手の特徴点として指、腕を抽出し、
画像を水平にスキャンして腕の部分の複数の幅方向の長さの中点を検出し、前記中点を結ぶ直線において指に向かう方向を血流方向と決定する、
請求項２に記載の脈波伝播速度測定システム。
【請求項５】
前記撮像装置は、１０００ｆｐｓ以上の高感度カメラである、
請求項１から４のいずれか一項に記載の脈波伝播速度測定システム。
【請求項６】
前記撮像装置が撮像を行っている間、目を除く人体を照射する照射装置をさらに具備する、
請求項１から５のいずれか一項に記載の脈波伝播速度測定システム。
【請求項７】
撮像を行い、時系列的に連続した画像データを生成する撮像部と、
前記画像データから人体の部位を検出し、前記人体の部位に応じて血流方向を決定し、前記人体の部位の中から前記血流方向が同一の２つの測定部位を決定し、前記２つの測定部位の画素値変化に基づいて各測定部位の脈波を検出し、前記２つの測定部位における脈波の時間差に基づいて脈波伝播速度を算出するプロセッサと、
を具備する撮像装置。
【請求項８】
撮像を行い、
時系列的に連続した画像データを生成し、
前記画像データから人体の部位を検出し、
前記人体の部位に応じて血流方向を決定し、
前記人体の部位の中から前記血流方向が同一の２つの測定部位を決定し、
前記２つの測定部位の画素値変化に基づいて各測定部位の脈波を検出し、
前記２つの測定部位における脈波の時間差に基づいて脈波伝播速度を算出する、
脈波伝播速度測定方法。
【発明の詳細な説明】
【技術分野】
【０００１】
本発明は、脈波伝播速度測定システム、撮像装置および脈波伝播速度測定方法に関する。
【背景技術】
【０００２】
動脈硬化（血管年齢）の進展を定量的に診断するためのパラメータの一つとして、脈波伝播速度（ＰＷＶ：Pulse Wave Velocity）が用いられている。血管が硬化（老化）するほど、脈波伝播速度は速くなる。
【０００３】
脈波伝播速度は、人体の２箇所の部位で測定した脈波の時間差と該２箇所の部位の距離とに基づいて算出される。特許文献１、２には、顔と手の２箇所を同時にカメラで撮像し、画像データにおける時間的な画素値変化に基づいて顔と手の脈波を検出し、脈波の時間差に基づいて脈波伝播速度を測定するシステムが開示されている。
【先行技術文献】
【特許文献】
【０００４】
【特許文献１】国際公開第２０１４／１３６３１０号
【特許文献２】特開２０１４−１９８１９９号公報
【発明の概要】
【発明が解決しようとする課題】
【０００５】
しかしながら、顔と手では血流方向が異なるため、脈波伝播速度の測定精度が低くなるおそれがある。
【０００６】
本開示の一態様は、脈波伝播速度の測定精度を向上させることができる脈波伝播速度測定システム、撮像装置および脈波伝播速度測定方法を開示する。
【課題を解決するための手段】
【０００７】
本開示の一態様に係る脈波伝播速度測定システムは、撮像を行い、時系列的に連続した画像データを生成する撮像装置と、前記画像データから人体の部位を検出し、前記人体の部位に応じて血流方向を決定し、前記人体の部位の中から前記血流方向が同一の２つの測定部位を決定し、前記２つの測定部位の画素値変化に基づいて各測定部位の脈波を検出し、前記２つの測定部位における脈波の時間差に基づいて脈波伝播速度を算出する脈波伝播速度算出装置と、を具備する。
【０００８】
本開示の一態様に係る撮像装置は、撮像を行い、時系列的に連続した画像データを生成する撮像部と、前記画像データから人体の部位を検出し、前記人体の部位に応じて血流方向を決定し、前記人体の部位の中から前記血流方向が同一の２つの測定部位を決定し、前記２つの測定部位の画素値変化に基づいて各測定部位の脈波を検出し、前記２つの測定部位における脈波の時間差に基づいて脈波伝播速度を算出するプロセッサと、を具備する。
【０００９】
本開示の一態様に係る脈波伝播速度測定方法は、撮像を行い、時系列的に連続した画像データを生成し、前記画像データから人体の部位を検出し、前記人体の部位に応じて血流方向を決定し、前記人体の部位の中から前記血流方向が同一の２つの測定部位を決定し、前記２つの測定部位の画素値変化に基づいて各測定部位の脈波を検出し、前記２つの測定部位における脈波の時間差に基づいて脈波伝播速度を算出する、を具備する。
【発明の効果】
【００１０】
本開示の一態様によれば、脈波伝播速度の測定精度を向上させることができる。
【図面の簡単な説明】
【００１１】
【図１】本発明の実施の形態１に係る脈波伝播速度測定システムの構成を示す図
【図２】本発明の実施の形態１に係る脈波伝播速度測定方法を示すフロー図
【図３】本発明の実施の形態１に係る脈波伝播速度測定システムで決定した顔の血流方向を示す図
【図４】本発明の実施の形態１に係る脈波伝播速度測定システムで決定した手の血流方向を示す図
【図５】本発明の実施の形態１に係る脈波伝播速度測定システムで決定した顔の測定部位を示す図
【図６】本発明の実施の形態１に係る脈波伝播速度測定システムで決定した手の測定部位を示す図
【図７】本発明の実施の形態１に係る脈波伝播速度測定システムで検出した脈波を示す図
【図８】本発明の実施の形態２に係る脈波伝播速度測定システムの構成を示す図
【図９】本発明の実施の形態３に係る撮像装置の構成を示す図
【図１０】本発明の実施の形態４に係る脈波伝播速度測定システムの構成を示す図
【発明を実施するための形態】
【００１２】
以下、図面を適宜参照して、本発明の実施の形態について、詳細に説明する。なお、添付図面および以下の説明は、当業者が本開示を十分に理解するために、提供されるのであって、これらにより特許請求の範囲に記載の主題を限定することは意図されていない。
【００１３】
（実施の形態１）
＜脈波伝播速度測定システムの構成＞
本発明の実施の形態１に係る脈波伝播速度測定システム１の構成について、図１を参照しながら、以下に詳細に説明する。
【００１４】
脈波伝播速度測定システム１は、撮像装置１１と、制御装置１２と、表示装置１３と、を有している。
【００１５】
撮像装置１１は、１０００ｆｐｓ（frame per second）以上の高感度カメラであり、制御装置１２の制御により撮像を行い、時系列的に連続した画像データを生成し、制御装置１２に出力する。
【００１６】
制御装置１２は、撮像装置１１から入力した画像データから人体の部位を検出し、検出した人体の部位に応じて血流方向を決定し、検出した人体の部位の中から血流方向が同一の２つの測定部位を決定する。そして、制御装置１２は、決定した２つの測定部位の画素値変化に基づいて各測定部位の脈波を検出し、決定した２つの測定部位における脈波の時間差に基づいて脈波伝播速度を算出する。
【００１７】
また、制御装置１２は、撮像装置１１から入力した画像データの画像を表示装置１３に表示させる制御を行う。
【００１８】
表示装置１３は、制御装置１２の制御により、撮像装置１１で撮像した画像を表示する。
【００１９】
＜制御装置の構成＞
次に、本発明の実施の形態１に係る制御装置１１の内部構成について、図１を参照しながら詳細に説明する。
【００２０】
制御装置１１は、撮像指示部１１１と、記憶部１１２と、操作部１１３と、表示指示部１１４と、ＣＰＵ１１５と、を有している。
【００２１】
撮像指示部１１１は、操作部１１３から撮像操作の検出信号を入力した際に、撮像装置１１に撮像処理を開始させる。また、撮像指示部１１１は、撮像装置１１が撮像した画像の画像データを記憶部１１２に記憶させる。
【００２２】
記憶部１１２は、画像データを記憶する。また、記憶部１１２は、ＣＰＵ１１５が実行する制御プログラムを記憶している。
【００２３】
操作部１１３は、ユーザの撮像操作を検出した場合、撮像操作の検出信号を撮像指示部１１１に出力する。また、操作部１１３は、ユーザの表示操作を検出した場合、表示操作の検出信号を表示指示部１１４に出力する。
【００２４】
表示指示部１１４は、操作部１１３から表示操作の検出信号を入力した際に、記憶部１１２に記憶されている画像データの画像を表示装置１３に表示させる。
【００２５】
ＣＰＵ１１５は、記憶部１１２に記憶されている制御プログラムを読み出して実行する。特に、ＣＰＵ１１５は、制御プログラムの実行により、撮像指示部１１１から入力した画像データから人体の部位を検出し、検出した人体の部位に応じて血流方向を決定し、検出した人体の部位の中から血流方向が同一の２つの測定部位を決定する。そして、ＣＰＵ１１５は、決定した２つの測定部位の画素値変化に基づいて各測定部位の脈波を検出し、決定した２つの測定部位における脈波の時間差に基づいて脈波伝播速度を算出する。
【００２６】
ＣＰＵ１１５は、部位検出処理部１１５１と、特徴抽出処理部１１５２と、血流方向決定処理部１１５３と、測定部位決定処理部１１５４と、脈波情報取得処理部１１５５と、心拍数取得処理部１１５６と、脈波伝搬速度算出処理部１１５７と、を備えている。部位検出処理部１１５１、特徴抽出処理部１１５２、血流方向決定処理部１１５３、測定部位決定処理部１１５４、脈波情報取得処理部１１５５、心拍数取得処理部１１５６及び脈波伝搬速度算出処理部１１５７は、ＣＰＵ１１５における制御プログラム実行時の機能ブロックとして構成される。
【００２７】
部位検出処理部１１５１は、記憶部１１２に記憶されている画像データを解析し、画像データから人体の部位を検出する。部位検出処理部１１５１は、人体の部位の検出結果を特徴抽出処理部１１５２および測定部位決定処理部１１５４に出力する。
【００２８】
特徴抽出処理部１１５２は、記憶部１１２に記憶されている画像データより、部位検出処理部１１５１から入力した検出結果が示す人体の部位における特徴点を抽出する。特徴抽出処理部１１５２は、抽出した特徴点の情報を血流方向決定処理部１１５３および測定部位決定処理部１１５４に出力する。
【００２９】
血流方向決定処理部１１５３は、特徴抽出処理部１１５２から入力した特徴点の情報に基づいて血流方向を決定する。血流方向決定処理部１１５３は、決定した血流方向の情報を測定部位決定処理部１１５４に出力する。
【００３０】
測定部位決定処理部１１５４は、血流方向決定処理部１１５３から入力した血流方向の情報及び特徴抽出処理部１１５２から入力した特徴点の情報に基づいて、記憶部１１２に記憶されている画像データにおける部位検出処理部１１５１により検出した人体の部位の中から、血流方向が同一の血流方向に沿って位置をずらした２つの測定部位を決定する。測定部位決定処理部１１５４は、決定した２つの測定部位の情報を脈波情報取得処理部１１５５に出力する。
【００３１】
脈波情報取得処理部１１５５は、記憶部１１２に記憶されている画像データにおける、測定部位決定処理部１１５４から入力した２つの測定部位の画素値の変化に基づいて、各測定部位の脈波を検出する。脈波情報取得処理部１１５５は、検出した脈波の信号をフィルタ処理し、ノイズを除去した脈波の信号を心拍数取得処理部１１５６及び脈波伝搬速度算出処理部１１５７に出力する。
【００３２】
心拍数取得処理部１１５６は、脈波情報取得処理部１１５５から入力した各測定部位の脈波の検出結果に基づいて各測定部位の心拍数を取得する。心拍数取得処理部１１５６は、取得した各測定部位の心拍数を脈波伝搬速度算出処理部１１５７に出力する。
【００３３】
脈波伝搬速度算出処理部１１５７は、心拍数取得処理部１１５６から入力した各測定部位の心拍数の差が閾値以下の場合に、脈波情報取得処理部１１５５から入力した検出結果の示す各測定部位の脈波の時間差に基づいて脈波伝播速度を算出する。
【００３４】
＜脈波伝播速度測定方法＞
次に、本発明の実施の形態１に係る脈波伝播速度測定方法について、図２等を参照しながら詳細に説明する。
【００３５】
まず、撮像装置１１が、動画の撮像を開始する（Ｓ１）。
【００３６】
次に、ＣＰＵ１１５が、部位検出処理部１１５１において、人体の部位として顔を検出する顔検出処理、又は人体の部位として手を検出する手検出処理を実行する（Ｓ２）。
【００３７】
次に、ＣＰＵ１１５が、部位検出処理部１１５１において顔又は手を検出したか否かを判定する（Ｓ３）。
【００３８】
顔又は手を検出しなかった場合（Ｓ３：Ｎｏ）、フローはステップＳ２に戻る。
【００３９】
一方、顔又は手を検出した場合（Ｓ３：Ｙｅｓ）、ＣＰＵ１１５が、特徴抽出処理部１１５２において顔又は手の特徴点を抽出する（Ｓ４）。具体的には、特徴抽出処理部１１５２は、顔の特徴点として目、鼻、口及び顔の輪郭等を抽出し、手の特徴点として指、腕及び人体の肌色の部分等を検出する。
【００４０】
次に、ＣＰＵ１１５が、血流方向決定処理部１１５３において血流方向を決定する（Ｓ５）。
【００４１】
具体的には、血流方向決定処理部１１５３は、部位検出処理部１１５１において顔を検出した場合に、図３（ａ）に示すように、左目と右目とを結ぶ直線に直交する直線において上方を血流方向と決定し、又は、図３（ｂ）に示すように、口と鼻とを結ぶ直線において上方を血流方向と決定する。又は、血流方向決定処理部１１５３は、部位検出処理部１１５１において手を検出した場合に、図４に示すように、画像を水平にスキャンして腕（肌色）の部分の複数の幅方向の長さの中点Ｐ１を検出し、検出した中点Ｐ１を結ぶ直線において指に向かう方向を血流方向と決定する。
【００４２】
次に、ＣＰＵ１１５が、測定部位決定処理部１１５４において血流方向が同一の２つの測定部位を決定する（Ｓ６）。
【００４３】
具体的には、測定部位決定処理部１１５４は、部位検出処理部１１５１において顔を検出した場合に、図５に示すように、特徴抽出処理部１１５２により抽出した目、鼻、口及び顔の輪郭から所定画素離れた部位であって、血流方向に沿って互いに位置をずらした２つの部位（領域１及び領域２）を測定部位として決定する。又は、測定部位決定処理部１１５４は、部位検出処理部１１５１において手を検出した場合に、図６に示すように、血流方向決定処理部１１５３において検出した中点Ｐ１のうち、所定距離Ｒ１離れた２つの中点を中心とする部位を測定部位（領域１及び領域２）として決定する。
【００４４】
なお、測定部位決定処理部１１５４は、測定部位の画素値を多く取得することができるように、撮像装置１１に対してできるだけ平行な部位を決定する。これにより、撮像装置１１で生成する画像データのＳ／Ｎ比を上げることができ、脈波伝播速度の測定精度を向上させることができる。
【００４５】
次に、ＣＰＵ１１５が、脈波情報取得処理部１１５５において２つの測定部位の画素値の変化に基づいて、図７に示す各測定部位の脈波を検出し、検出値を脈波情報として取得する（Ｓ７）。
【００４６】
次に、ＣＰＵ１１５が、心拍数取得処理部１１５６において心拍数を取得したか否かを判定する（Ｓ８）。
【００４７】
心拍数を取得しなかった場合（Ｓ８：Ｎｏ）、フローはステップＳ６に戻る。
【００４８】
一方、心拍数を取得した場合（Ｓ８：Ｙｅｓ）、ＣＰＵ１１５が、心拍数取得処理部１１５６において各測定部位の心拍数を比較する（Ｓ９）。
【００４９】
次に、ＣＰＵ１１５が、各測定部位の心拍数の差が閾値以下であるか否かを判定する（Ｓ１０）。
【００５０】
各側部位の心拍数の差が閾値より大きい場合（Ｓ１０：Ｎｏ）、フローはステップＳ９に戻る。
【００５１】
一方、各測定部位の心拍数の差が閾値以下の場合（Ｓ１０：Ｙｅｓ）、ＣＰＵ１１５が、脈波伝搬速度算出処理部１１５７において脈波伝搬速度を算出する（Ｓ１１）。
【００５２】
具体的には、脈波伝搬速度算出処理部１１５７は、図７に示すように、領域１の脈波と領域２の脈波との位相差ΔＴ１に基づいて脈波伝播速度を算出する。各測定部位の心拍数の差が閾値以下の場合に脈波伝搬速度を算出するので、脈波伝搬速度の算出値の信頼性を向上させることができる。
【００５３】
＜効果＞
このように、本実施の形態によれば、画像データから検出した人体の部位に応じて血流方向を決定し、人体の部位の中から血流方向が同一の２つの測定部位を決定し、２つの測定部位の画素値変化に基づいて各測定部位の脈波を検出し、２つの測定部位における脈波の時間差に基づいて脈波伝播速度を算出する。
【００５４】
これにより、血流方向が同一の２つの測定部位から脈波伝播速度を算出することができるので、脈波伝播速度の測定精度を向上させることができる。
【００５５】
（実施の形態２）
＜脈波伝播速度測定システムの構成＞
本発明の実施の形態２に係る脈波伝播速度測定システム２の構成について、図８を参照しながら、以下に詳細に説明する。
【００５６】
なお、図８において、図１と同一構成である部分については同一符号を付してその詳しい説明を省略する。
【００５７】
脈波伝播速度測定システム２は、撮像装置１１と、表示装置１３と、制御装置２１と、照射装置２２と、を有している。
【００５８】
撮像装置１１は、制御装置２１の制御により撮像を行い、時系列的に連続した画像データを生成する。撮像装置１１は、生成した画像データを制御装置２１に出力する。
【００５９】
制御装置２１は、撮像装置１１から入力した画像データから人体の部位を検出し、検出した人体の部位に応じて血流方向を決定し、検出した人体の部位の中から血流方向が同一の２つの測定部位を決定する。制御装置２１は、決定した２つの測定部位の画素値変化に基づいて各測定部位の脈波を検出し、決定した２つの測定部位における脈波の時間差に基づいて脈波伝播速度を算出する。制御装置２１は、撮像装置１１から入力した画像データの画像を表示装置１３に表示させる制御を行う。
【００６０】
表示装置１３は、制御装置２１の制御により、撮像装置１１で撮像した画像を表示する。
【００６１】
照射装置２２は、制御装置２１の制御により目を除く人体を照射する。照射装置２２は、例えば高度投影が可能なプロジェクタである。
【００６２】
＜制御装置の構成＞
本発明の実施の形態２に係る制御装置２１の構成について、図８を参照しながら、以下に詳細に説明する。
【００６３】
図８に示す制御装置２１は、図１に示した制御装置１１に対して、照射指示部２１１を追加した構成を採る。
【００６４】
操作部１１３は、撮像操作を検出し、撮像操作の検出信号を撮像指示部１１１に出力する。操作部１１３は、表示操作を検出し、表示操作の検出信号を表示指示部１１４に出力する。操作部１１３は、照射操作を検出し、照射操作の検出信号を照射指示部２１１に出力する。
【００６５】
照射指示部２１１は、照射操作の検出信号が操作部１１３から入力した際に、照射装置２２に人体を照射させる。
【００６６】
なお、本実施の形態に係る脈波伝播速度測定方法は図２と同一方法であるので、その説明を省略する。
【００６７】
本実施の形態によれば、上記実施の形態１の効果に加えて、照射装置２２で人体を照射しながら撮像することにより、ユーザの手を煩わせずに脈波伝播速度を算出することができる。
【００６８】
（実施の形態３）
＜撮像装置の構成＞
本発明の実施の形態３に係る撮像装置３の構成について、図９を参照しながら、以下に詳細に説明する。
【００６９】
図９において、図１と同一構成である部分については同一符号を付して、その説明を省略する。
【００７０】
撮像装置３は、記憶部１１２と、操作部１１３と、ＣＰＵ１１５と、撮像部３０１と、表示部３０２と、照射部３０３と、を有している。撮像装置３は、例えば１０００ｆｐｓ（frame per second）程度の高感度カメラである。
【００７１】
操作部１１３は、撮像操作を検出し、撮像操作の検出信号を撮像部３０１に出力する。操作部１１３は、表示操作を検出し、表示操作の検出信号を表示部３０２に出力する。操作部１１３は、照射操作を検出し、照射操作の検出信号を照射部３０３に出力する。
【００７２】
撮像部３０１は、撮像操作の検出信号が操作部１１３から入力した際に撮像を行い、時系列的に連続した画像データを生成する。撮像部３０１は、生成した画像データを記憶部１１２に記憶させる。
【００７３】
表示部３０２は、表示操作の検出信号が操作部１１３から入力した際に、記憶部１１２に記憶されている画像データの画像を表示する。
【００７４】
照射部３０３は、照射操作の検出信号が操作部１１３から入力した際に、目を除く人体を照射する。
【００７５】
なお、本実施の形態に係る脈波伝播速度測定方法は図２と同一方法であるので、その説明を省略する。
【００７６】
本実施の形態によれば、上記実施の形態１の効果に加えて、照射部３０３で人体を照射しながら撮像することにより、ユーザの手を煩わせずに脈波伝播速度を算出することができる。
【００７７】
また、本実施の形態によれば、撮像装置３のみで脈波伝播速度を測定できるため、装置数を少なくでき、脈波伝播速度を安価に測定することができる。
【００７８】
（実施の形態４）
＜脈波伝播速度測定システムの構成＞
本発明の実施の形態４に係る脈波伝播速度測定システム４の構成について、図１０を参照しながら、以下に詳細に説明する。
【００７９】
脈波伝播速度測定システム４は、撮像装置４１と、照射装置４２と、を有している。
【００８０】
撮像装置４１は、撮像を行い、時系列的に連続した画像データを生成する。撮像装置４１は、生成した画像データから人体の部位を検出し、検出した人体の部位に応じて血流方向を決定し、検出した人体の部位の中から血流方向が同一の２つの測定部位を決定する。撮像装置４１は、決定した２つの測定部位の画素値変化に基づいて各測定部位の脈波を検出し、決定した２つの測定部位における脈波の時間差に基づいて脈波伝播速度を算出する。撮像装置４１は、生成した画像データの画像を表示する。
【００８１】
照射装置４２は、撮像装置４１の制御により目を除く人体を照射する。照射装置４２は、例えば高度投影が可能なプロジェクタである。
【００８２】
＜撮像装置の構成＞
本発明の実施の形態４に係る撮像装置４１の構成について、図１０を参照しながら、以下に詳細に説明する。
【００８３】
図１０において、図１と同一構成である部分については同一符号を付して、その説明を省略する。
【００８４】
撮像装置４１は、記憶部１１２と、操作部１１３と、ＣＰＵ１１５と、撮像部４１１と、表示部４１２と、照射指示部４１３と、を有している。撮像装置４１は、例えば１０００ｆｐｓ（frame per second）程度の高感度カメラである。
【００８５】
操作部１１３は、撮像操作を検出し、撮像操作の検出信号を撮像部４１１に出力する。操作部１１３は、表示操作を検出し、表示操作の検出信号を表示部４１２に出力する。操作部１１３は、照射操作を検出し、照射操作の検出信号を照射指示部４１３に出力する。
【００８６】
撮像部４１１は、撮像操作の検出信号が操作部１１３から入力した際に撮像を行い、時系列的に連続した画像データを生成する。撮像部４１１は、生成した画像データを記憶部１１２に記憶させる。
【００８７】
表示部４１２は、表示操作の検出信号が操作部１１３から入力した際に、記憶部１１２に記憶されている画像データの画像を表示する。
【００８８】
照射指示部４１３は、照射操作の検出信号が操作部１１３から入力した際に、照射装置４２に人体を照射させる。
【００８９】
なお、本実施の形態に係る脈波伝播速度測定方法は図２と同一方法であるので、その説明を省略する。
【００９０】
本実施の形態によれば、上記実施の形態１の効果に加えて、照射装置４２で人体を照射しながら撮像することにより、ユーザの手を煩わせずに脈波伝播速度を算出することができる。
【００９１】
また、本実施の形態によれば、撮像装置４１及び照射装置４２で脈波伝播速度を測定できるため、実施の形態１に比べて装置数を少なくでき、脈波伝播速度を安価に測定することができる。
【００９２】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更することができる。
【００９３】
具体的には、上記実施の形態１から実施の形態４において、顔又は手の中から測定部位を決定したが、顔及び手以外の人体の部位を測定部位として決定することができる。
【００９４】
また、上記実施の形態１から実施の形態４において、２つの測定部位における脈波の時間差に基づいて脈波伝播速度を算出したが、３つ以上の複数の測定部位における脈波の時間差に基づいて脈波伝播速度を算出してもよい。これにより、脈波伝搬速度の算出精度を向上させることができる。
【産業上の利用可能性】
【００９５】
本発明は、脈波伝播速度測定システムおよび脈波伝播速度測定方法に好適である。
【符号の説明】
【００９６】
１、２、４  脈波伝播速度測定システム
３、１１、４１  撮像装置
１２、２１、  制御装置
１３  表示装置
２２、４２  照射装置
１１１  撮像指示部
１１２  記憶部
１１３  操作部
１１４  表示指示部
１１５  ＣＰＵ
２１１、４１３  照射指示部
３０１、４１１  撮像部
３０２、４１２  表示部
３０３  照射部
１１５１  部位検出処理部
１１５２  特徴抽出処理部
１１５３  血流方向決定処理部
１１５４  測定部位決定処理部
１１５５  脈波情報取得処理部
１１５６  心拍数取得処理部
１１５７  脈波伝搬速度算出処理部
【図１】
2018153555.tif 000003
【図２】
2018153555.tif 000004
【図３】
2018153555.tif 000005
【図４】
2018153555.tif 000006
【図５】
2018153555.tif 000007
【図６】
2018153555.tif 000008
【図７】
2018153555.tif 000009
【図８】
2018153555.tif 000010
【図９】
2018153555.tif 000011
【図１０】
2018153555.tif 000012